(57)【要約】【課題】配線を適切に保護する配線保護カバーを提供する。【解決手段】配線保護カバー１は、底板２０、側壁３０及び仕切部材４０が一体に形成される。底板２０は、配線群１０を載せる載置面２１を有し、第１ゲート部５０から第２ゲート部６０へそれぞれの配線を導く配線路７０に沿った形状に形成されている。側壁３０は、底板２０の載置面２１の外縁に立設される。第２ゲート部６０近傍において、側壁３０の底板２０側と反対側の端部から底板２０と対向するように突設される突出部３５を備えている。これにより、配線をそれぞれの配索先に接続するとき、配線保護カバー１の上部から配線が飛び出しにくくなり、組み付け性が向上する。【選択図】  図６
2010178435.tif 000002
【特許請求の範囲】
【請求項１】
複数の配線の始端が特定の位置に集中し、前記複数の配線の終端が配線毎に目的の位置に散在する配線群を収容する配線保護カバーであって、
前記配線群を載せる載置面を有し、前記特定の位置から前記目的の位置へ前記配線を導く配線路に沿った形状に形成される底板と、
前記底板の前記載置面に立設され、配線を分離容易に区別し案内する仕切部材と、
前記底板の外縁に当該底板と一体に形成される側壁と、
前記配線群の前記始端を外部へ取り出し可能に構成される第１ゲート部と、
前記側壁を切り欠いて形成され、前記配線群の前記終端を外部へ取り出し可能に構成される複数の第２ゲート部と、
前記第２ゲート部近傍において、前記側壁の前記底板と反対側の端部に前記底板と対向するように突設された突出部と、
を備え、
一つの前記第２ゲート部から取り出される前記配線を収容する前記配線路は、当該第２ゲート部近傍において最も前記側壁側に設けられることを特徴とする配線保護カバー。
【請求項２】
前記第２ゲート部は、配索先が近い複数の配線を取り出し可能に構成されることを特徴とする請求項１に記載の配線保護カバー。
【請求項３】
前記底板は、前記配線路が分岐する分岐部を有する請求項１または２に記載の配線保護カバー。
【請求項４】
前記底板は、前記配線路が集合する集合部を有する請求項１〜３のいずれか一項に記載の配線保護カバー。
【請求項５】
前記仕切部材は、前記第２ゲート部近傍に形成され、
前記突出部の前記仕切部材側の端部と前記仕切部材との間隔は、前記配線の太さと略同一であることを特徴とする請求項１〜４のいずれか一項に記載の配線保護カバー。
【請求項６】
前記底板は、前記突出部と対向する位置に形成された穴部を有することを特徴とする請求項１〜５のいずれか一項に記載の配線保護カバー。
【発明の詳細な説明】
【技術分野】
【０００１】
本発明は、電気配線を保護する配線保護カバーに関する。
【背景技術】
【０００２】
従来、車両に用いられる電気配線には、配線保護カバーを設けることが公知である（例えば、特許文献１、２参照）。特に、自動変速装置内部に用いられる場合、レイアウト上の問題から、接触による電線切れ、ボルト締め付け時の挟み込みによる被覆破れ、および他部品との干渉による組み付け不良を防止するために、配線保護カバーを設けることが好ましい。
【先行技術文献】
【特許文献】
【０００３】
【特許文献１】特許第３１７８２８０号公報
【特許文献２】実開昭６４−７９７９号公報
【発明の概要】
【発明が解決しようとする課題】
【０００４】
しかしながら、特許文献１に記載された配線固定装置によって配線を保護する場合、完全に保護するには、コ字状の２部品を用いて配線を挟み込む必要があり、部品点数が増大する。また、特許文献２に記載されたクランプ装置は、１つの溝に１つの配線を収容する構造であるため、複数の配線を保護する場合、保護部材の体格が大きくなるという問題点があった。
【０００５】
本発明は上述した問題を解決するためになされたものであり、その目的は、配線を適切に保護する配線保護カバーを提供することにある。
【課題を解決するための手段】
【０００６】
請求項１に記載の配線保護カバーは、複数の配線の始端が特定の位置に集中し、前記複数の配線の終端が配線毎に目的の位置に散在する配線群を収容する。底板は、配線群を載せる載置面を有し、特定の位置から目的の位置へ配線を導く配線路に沿った形状に形成される。仕切部材は、底板の載置面に立設され、配線を分離可能に区別し案内する。側壁は、底板の外縁に当該底板と一体に形成される。第１ゲート部は、配線群の始端を外部へ取り出し可能に構成される。複数の第２ゲート部は、側壁を切り欠いて形成され、配線群の終端を外部へ取り出し可能に構成される。突出部は、第２ゲート部近傍において、側壁の底板と反対側の端部に底板と対向するように突設される。一つの第２ゲート部から取り出される配線を収容する配線路は、第２ゲート部近傍において最も側壁側に設けられる。
【０００７】
請求項１に記載の配線保護カバーは、配線路に沿った形状に形成されているので、無駄な部分がなく、配線保護カバーの体格を小さくすることができる。特に本発明では、一つの第２ゲート部から取り出される配線を収容する配線路は、当該第２ゲート部近傍において最も側壁側に設けられている。すなわち、第２ゲート部から配線を取り出す毎に、取り出された配線を収容する配線路が途絶えるので、第１ゲート部から離れるほど並列する配線路の数が少なくなる。したがって、配線保護カバーの体格を小さくすることができる。さらに、仕切部材を設けることにより、配線を整列させて組み付けることができるので、組み付け性が向上する。したがって、配線を適切に保護することができる。なお、配線保護カバーは、配索先近傍まで形成されることが望ましいが、配線を保護可能な程度に形成されていればよい。
【０００８】
さらに、請求項１に記載の配線保護カバーは、第２ゲート部近傍において、側壁の底板と反対側の端部から底板と対向するように突設される突出部を備えている。このような構成によれば、側壁に最も近い位置に収容される配線は、第２ゲート部近傍において、隣接する配線または仕切部材、側壁、及び突出部によって挟持可能となる。これにより、例えば、第２ゲート部から取り出された配線の先端に設けられたコネクタを配索先に接続する際、配線保護カバー上部から配線が飛び出しにくくなり、組み付け性が向上する。また、別体の抜け止め部材が不要となるため、部品点数を低減することができる。したがって、配線を適切に保護することができる。なお、突出部は、組み付けた配線を配索先に接続する際に抜け止め効果を発揮できればよく、底板と平行に構成される他、平行から所定の角度範囲で構成可能である。
【０００９】
請求項２に記載の配線保護カバーの第２ゲート部は、配索先が近い複数の配線を取り出し可能に構成される。これにより、１つの第２ゲート部からに１つの配線を取り出す構成と比較して、配線保護カバーの構成を簡素化し、体格を小さくすることができる。
請求項３に記載の配線保護カバーの底板は、配線路が分岐する分岐部を有している。また、請求項４に記載の配線保護カバーの底板は、配線路が集合する集合部を有している。当該構成のように、配線の配索先に応じて配線路を分岐、あるいは集合させて配線保護カバーを形成することにより、配線を適切に保護することができる。
【００１０】
請求項５に記載の配線保護カバーの仕切部材は、第２ゲート部近傍に形成される。また、突出部の仕切部材側の端部と仕切部材との間隔は、配線の太さと略同一である。ここで、突出部の仕切部材側の端部と仕切部材との間隔は、突出部と仕切部材との隙間から配線を挿入可能な程度に構成されていればよい。これにより、配線が抜けにくく、かつ、突出部と仕切部材との間から配線を容易に収容することができる。
【００１１】
請求項６に記載の配線保護カバーの底板は、突出部と対向する位置に形成された穴部を有する。これにより、配線保護カバーの剛性が低下するので、配線を組み付ける際に配線保護カバーがしなりやすくなり、組み付け性が向上する。また、穴部は突出部と対向する位置に設けられているので、配線保護カバーを製造する際、穴部を利用して底部側の金型を引き抜くことができる。その結果、配線保護カバーの破損や金型の摩耗を低減することができる。
【図面の簡単な説明】
【００１２】
【図１】本発明の一実施形態による配線保護カバーの底面図である。
【図２】図１のＩＩ方向から見た側面図である。
【図３】本発明の一実施形態による配線保護カバーの平面図である。
【図４】本発明の一実施形態による配線保護カバーに配線群を収容したときの底面図である。
【図５】図４のＶ方向から見た側面図である。
【図６】本発明の一実施形態による配線保護カバーの第２ゲート部近傍を示す斜視図である。
【図７】本発明の一実施形態による配線保護カバーの第２ゲート部近傍を示す断面図である。
【発明を実施するための形態】
【００１３】
以下、本発明による配線保護カバーを図面に基づいて説明する。
（一実施形態）
本発明の第１実施形態は、車両の自動変速装置の内部に用いられる配線保護カバーに適用したものである。この配線保護カバーは、自動変速装置の図示しない油圧制御装置のロア配線を収容するのに用いられ、油圧制御装置の下端部にボルトなどによって固定される。
図１〜３は配線保護カバーのみを示したものであり、図４及び図５は、配線保護カバー１に配線２を収容した状態を示すものである。配線保護カバー１は、複数の配線１１からなる配線群１０を収容するものである。
【００１４】
図１〜５に示すように、配線保護カバー１は、例えばナイロン６６（登録商標）などの樹脂により底板２０、側壁３０、及び仕切部材４０が一体に形成されている。また、配線保護カバー１に収容された配線群１０の始端１２を取り出し可能に構成される第１ゲート部５０、及び配線群１０の終端１３を取り出し可能に構成される複数の第２ゲート部６０を有している。配線群１０を構成するそれぞれの配線１１の終端１３は、対応する配索先に接続するためのコネクタ１５を有している。そして、第１ゲート部５０から複数の第２ゲート部６０へ複数の配線１１を導く配線路７０が、底板２０、側壁３０、及び仕切部材４０によって形成されている。
【００１５】
底板２０は、配線群１０を載せる載置面２１を有している。底板２０は、配線路７０に沿った形状に形成され、配線路７０が分岐する分岐部２２、及び配線路７０が集合する集合部２３を有している。本実施形態においては、配線１１は側壁３０に形成された第２ゲート部６０から取り出されるので、それぞれの配線１１が取り出されるべき第２ゲート部６０近傍において最も外側の配線路７０に収容されるように、分岐部２２及び集合部２３が設けられている。分岐部２２において分岐した箇所の間には、配線保護カバー１を補強するための補強部材２６が設けられている。
【００１６】
また、底板２０は、複数の穴部２４を有している。穴部２４は、配線路７０に沿って並んで形成されている。本実施形態において、配線路７０が略直線上である位置に形成された穴部２４は、略長方形に形成される。
側壁３０は、配線路７０に沿って延びる底板２０の載置面２１の両縁に立ち上がるように設けられる。側壁３０は、底板２０の板面上に外方向に突出するステー３１が設けられている。ステー３１は、配線保護カバー１を油圧制御装置の下端部にボルトにより固定するのに用いられる。
【００１７】
仕切部材４０は、底板２０の載置面２１に側壁３０の内側に立ち上がるように設けられる。図３に示すように、仕切部材４０は、配線路７０の延びる方向に連続部分と不連続部分を有する。仕切部材４０は、配線１１を整列させ、それぞれの配線１１の終端１３が取り出される第２ゲート部６０まで分離容易に区別し、案内可能な程度に設けられている。
【００１８】
第１ゲート部５０は、配線保護カバーに収容される配線群１０の始端１２を取り出し可能に構成されている。第１ゲート部５０から取り出された配線群１０の始端１２は、例えば図示しない自動変速機（ＡＴ）ＥＣＵに接続される。
第２ゲート部６０は、側壁３０を切り欠いて形成され、配索先が近い複数の配線１１の終端１３を取り出し可能に構成されている。第２ゲート部６０は、それぞれの配線１１の配索先に基づいて、取り出しやすい位置に設けられている。第２ゲート部６０から取り出された配線群１１の終端１３は、油圧制御用のアクチュエータ等、それぞれの配索先に接続される。
【００１９】
配線路７０は、底板２０の載置面２１に設けられている。一つの第２ゲート部６０から取り出される配線１１を収容する配線路７０は、当該第２ゲート部近傍において、最も側壁３０側になるように形成されている。すなわち、第１ゲート部５０から第２ゲート部６０までの長さと配索先の位置とに基づいて、底板２０の形状と配線路７０の並び順が決められている。例えば、第１ゲート部５０から第２ゲート部６０までの距離が短い配索路７０から順に、外側から並ぶように構成する、といった具合である。
【００２０】
ここで、第２ゲート部６０において底板２０が縮小する箇所を、図６及び図７に基づいて説明する。図６は、底板２０が縮小する第２ゲート部６０近傍の斜視図である。最も側壁３０に近い側の配線路７０１には（図７参照）、側壁３０側に収容された配線１１１、１１２及び仕切部材４０側に収容された配線１１３、１１４の４本が収容されている。なお、配線１１１〜１１４は、実際にはそれぞれの配索先に接続されるが、図６においては第２ゲート部６０において切断した図となっている。また、図７は、最も側壁３０に近い側の配線路７０１を示す断面図である。
【００２１】
図６及び図７に示すように、底板２０が縮小する第２ゲート部６０近傍において、底板２０は、側壁３０側の縁から配線路７０１の路線に垂直に外方向に張り出す肩部６０１が設けられる。この肩部６０１の路線前後で、側壁３０が、不連続になるように、前の側壁３０１と後の第１ゲート部５０側の側壁３０２とに分断されている。側壁３０１の後端と肩部６０１と側壁３０２の前端とで切欠き溝６０２が形成される。この切欠き溝６０２が配線１１の取り出し口になる。これにより、配線１１の取り回しの負担を軽減して取り出しを容易にする。
【００２２】
底板２０が縮小する第２ゲート部６０近傍において、底板２０から立ち上がる側壁３０２の上端には、底板２０の載置面２１に対向するように配線路７０１の路線に垂直に内方向に張り出す突出部３５が設けられている。突出部３５は、底板２０と略平行に設けられている。配線路７０１に収容された配線１１１〜１１４のうち、側壁３０側に収容された配線１１１、１１２は、隣接する配線である配線１１３、１１４、底板２０、側壁３０、及び突出部３５によって挟持された状態で、第２ゲート部６０から取り出される。
また、仕切部材４０は、第２ゲート部６０の近傍に設けられている。そして、図７に示すように、突出部３５の仕切部材４０側の端部３５１と仕切部材４０の側壁３０側の端面４０１との距離Ｄ１は、配線１１の太さＤ２と略同一に形成されている。
さらに、突出部３５と対向する底部２０には、金型を上下に抜くための穴部２４が設けられている。
【００２３】
以上、詳述したように、本実施形態による配線保護カバー１は、底板２０、側壁３０及び仕切部材４０が一体に形成される。底板２０は、配線群１０を載せる載置面２１を有し、第１ゲート部５０から第２ゲート部６０へそれぞれの配線１１を導く配線路７０に沿った形状に形成されている。側壁３０は、底板２０の外縁の載置面２１側に立設される。
【００２４】
配線保護カバー１は、配線路７０に沿った形状に形成されているので、無駄な部分がなく、体格を小さくすることができる。本実施形態においては、配線路７０が分岐する分岐部２２及び集合部２３を有している。配線１１の配索先に応じて適切に配線路７０を分岐、あるいは集合させて配線保護カバー１を形成しているので、適切に配線を保護することができる。
【００２５】
また、一つの第２ゲート部６０から取り出される配線１１は、当該第２ゲート部６０近傍において最も側壁２０側に形成された配線路７０に収容される。第２ゲート部６０から配線１１を取り出すと、最も側壁２０に近い配線路７０、すなわち、当該第２ゲート部６０から取り出された配線を収容していた配線路７０、が途絶えるので、第１ゲート部５０から離れるほど並列する配線路７０の数が少なくなり、体格が小さくなる。したがって、配線保護カバー１の体格を小さくすることができる。
【００２６】
配線保護カバー１は、底板２０の載置面２１に立設され、配線１１を分離容易に区別し、第２ゲート部６０へ案内する仕切部材４０を備えている。これにより、配線１１を整列させて組み付けることができるので、組み付け性が向上する。したがって、適切に配線１１を保護することができる。
【００２７】
第２ゲート部６０は、配索先が近い複数の配線１１を取り出し可能に構成されている。これにより、１つの第２ゲート部６０から１つの配線１１を取り出す構成と比較して、配線保護カバー１の構成を簡素化し、体格を小さくすることができる。
【００２８】
さらに、本実施形態による配線保護カバー１は、第２ゲート部６０近傍において、側壁３０の底板２０側と反対側の端部から底板２０と対向するように突設される突出部３５を備えている。これにより、最も側壁３０側に位置する配線路７０１に収容された配線１１のうち、側壁３０側に収容された配線１１１、１１２を第２ゲート部６０から取り出すとき、配線１１１、１１２は、隣接する配線である配線１１３、１１４、底板２０、側壁３０、及び突出部３５によって挟持される。これにより、配線１１１、１１２の先端に設けられたコネクタ１５をそれぞれの配索先に接続するとき、配線保護カバー１の上部から配線１１１、１１２が飛び出しにくくなり、組み付け性が向上する。
【００２９】
またさらに、突出部３５の仕切部材４０側の端部３５１と仕切部材４０の側壁３０側の端面４０１との距離Ｄ１は、配線１１の太さＤ２と略同一に形成されている。これにより、配線保護カバー１から配線１１が抜けにくく、かつ、突出部３５と仕切部材４０との間から配線を容易に収容することができる。
【００３０】
（他の実施形態）
上記複数の実施形態の配線保護カバーは、底板と反対側は開放されている構成であったが、他の実施形態では、配線を収容した後に配線保護カバーの一部または全部を覆う蓋部材を設けてもよい。蓋部材は、例えばスナップフィット式にて固定することができる。また蓋部材は、配線保護カバーと一体に形成されることが好ましいが、別体であっても良い。
また、他の実施形態においては、側壁および仕切部材の底板と反対側の端部に爪部を設けてもよい。爪部を設けることにより、組み付けた配線が振動等により抜けにくくなる。また、別体の抜け止め防止部材が不要になるため、部品点数を低減できる。爪部に変えて、側壁および仕切部材の底板と反対側の端部を熱かしめすることによって変形させ、抜け止め部材としてもよい。また、配線路に収容された配線を収縮チューブによって固定するようにしてもよい。
【００３１】
さらに、他の実施形態においては、底板に穴部を設けるように構成してもよい。これにより、配線保護カバーの剛性が低下するので、配線保護カバーがしなりやすくなり、組み付け性が向上する。特に、穴部を突出部と対向する位置に設ければ、配線保護カバーを製造する際、穴部を利用して底部側の金型を引き抜くことができるので、配線保護カバーの破損や金型の摩耗を低減することができる。
【００３２】
他の実施形態では、側壁および仕切部材に、配線路側に突出する凸部を所定の間隔で設けることにより、配線を千鳥構造となるように組み付けてもよい。このようにしても配線の抜け止めの効果を発揮する。また、仕切部材を緩やかなＳ字状等の形状に形成してもよい。特に、第２ゲート部と対向する仕切部材を緩やかなＳ字状に形成すれば、配線が圧接される面積が増えるため、配線が抜けにくくなる。
【００３３】
また、上記実施形態の配線保護カバーは、自動変速装置の油圧制御装置のロア配線を収容するものであったが、アッパー配線、あるいは自動変速装置内の他の配線を収容してもよい。
以上、本発明は、上記実施形態になんら限定されるものではなく、発明の趣旨を逸脱しない範囲において種々の形態で実施可能である。
【符号の説明】
【００３４】
１：配線保護カバー、１０：配線群、１１：配線、１２：始端、１３：終端、２０：底板、２１：載置面、２２：分岐部、２３：集合部、２４：穴部、３０：側壁、３５：突出部、４０：仕切部材、５０：第１ゲート部、６０：第２ゲート部、７０：配線路
【図１】
2010178435.tif 000003
【図２】
2010178435.tif 000004
【図３】
2010178435.tif 000005
【図４】
2010178435.tif 000006
【図５】
2010178435.tif 000007
【図６】
2010178435.tif 000008
【図７】
2010178435.tif 000009